(57)【要約】      （修正有）【課題】従来よりも良好な放熱特性を有する照明装置を提供する。【解決手段】筐体７０内部にはファンが設けられ、筐体７０の壁には吸気孔７０ｃが設けられていると共に、吸気孔７０ｃから吸入した空気で基台３０を冷却するようにした照明装置１であって、ファンは、基台３０の筐体７０内方を向いている第２主面に向けて空気を送るように設けられており、基台３０は、筐体７０内の空気を筐体７０外に排出する排気孔３３を有し、排気孔３３は、基台３０の第２主面側から第１主面３１側に貫通しており、排気孔３３の出口は、第１主面３１側にある。【選択図】図１
2015088257.tif 000002
【特許請求の範囲】
【請求項１】
一部が開口した筐体の前記開口を閉塞する状態で熱伝導性の基台が設けられ、前記基台の２つの主面のうち、前記筐体内方を向いていない第１主面には発光モジュールが載置され、前記筐体内部にはファンが設けられ、前記筐体の壁には吸気孔が設けられていると共に、前記吸気孔から吸入した空気で前記基台を冷却するようにした照明装置であって、
前記ファンは、前記基台の前記筐体内方を向いている第２主面に向けて空気を送るように設けられており、
前記基台は、前記筐体内の空気を前記筐体外に排出する排気孔を有し、
前記排気孔は、前記基台の前記発光モジュールの外周に設けられ、且つ、前記第２主面側から前記第１主面側に貫通しており、
前記排気孔の出口は、前記第１主面側にあることを特徴とする照明装置。
【請求項２】
前記基台は、前記第２主面上に立設された複数の板状のフィンを有しており、前記複数の板状のフィンは、平面視で放射状に形成されていて、前記各板状のフィンは、中心側から外側に向けて、漸次湾曲しているカール部を有することを特徴とする請求項１に記載の照明装置。
【請求項３】
前記ファンの回転軸は、前記基台の前記第２主面の法線であって、前記放射状のフィンの中心を通る線上に存在し、前記ファンの回転方向と、前記各板状のフィンが漸次湾曲しているカールの変位の方向と、が同一であることを特徴とする請求項２に記載の照明装置。
【請求項４】
さらに、前記筐体と前記基台とで囲まれる空間を、前記吸気孔が存在する第１の部屋と、前記基台が存在する第２の部屋とに仕切る板状部材を有し、前記板状部材には、２つの部屋を連通する連通部が形成され、前記ファンは、前記連通部に設けられていることを特徴とする請求項１から３のいずれかに記載の照明装置。
【請求項５】
前記基台の前記排気孔は、前記基台の第１主面の法線方向に対して傾斜している部分を少なくとも有することを特徴とする請求項１から４のいずれかに記載の照明装置。
【請求項６】
さらに、前記発光モジュールを点灯させる点灯回路ユニットを備え、
前記点灯回路ユニットは、前記筐体の内側であって、前記ファンの前記基台と反対側に設けられており、
前記筐体の壁に設けられた前記吸気孔は、前記点灯回路ユニット側よりも前記ファン側に近く設けられていることを特徴とする請求項１から５のいずれかに記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等を光源として用いた照明装置に関する。
【背景技術】
【０００２】
近年、ホテルや店舗における照明として用いられてきたハロゲン電球に代替するものとして、ＬＥＤ等の半導体発光素子を光源に用いた照明装置が普及しつつある。半導体発光素子を用いた照明装置は、省電力性に優れるが、半導体発光素子が発熱するため、放熱対策が重要となる。
一例として、特許文献１に開示された照明装置９０１の側面図を図１１に示す。照明装置９０１は、基台９３０とこれを覆う透光性カバー９２０を有する。透光性カバー９２０内において、基台９３０上には、発光モジュールが載置されている。基台９３０の透光性カバー９２０と反対側には、略椀状の筐体９７０が設けられている。筐体９７０は、外部の空気Ｂを吸入する吸気孔９７０ａを有している。さらに、筐体９７０の基台９３０とは反対側には、口金９８０が設けられている。筐体９７０内には、基台９３０に向けて空気を送るファンが収納されている。吸気孔９７０ａから吸入した外部の空気Ｂは、ファンによって基台９３０側に送られ、排気孔９３０ａから外部に排出される（図１１の矢印Ａ１参照）。これにより、発光モジュールで発生した熱が、冷却される。
【先行技術文献】
【特許文献】
【０００３】
【特許文献１】特許第５０６２３４２号公報
【発明の概要】
【発明が解決しようとする課題】
【０００４】
しかし、照明装置９０１から排出し、熱を帯びた空気は、照明装置９０１の中心軸であるＪ軸に垂直な方向に排出した空気Ａ１の他の成分も存在する。例えば、空気Ａ１の排出方向よりも口金９８０側に排出した空気Ａ２の成分や、空気Ａ１の排出方向よりも透光性カバー９２０側に排出した空気Ａ３の成分も存在する。特に、口金９８０側に排出した空気Ａ２の成分は、吸気孔９７０ａから再度、筐体９７０内に吸入してしまうことがある。これは、基台９３０の排気孔９３０ａがＪ軸に垂直な方向を向いていて、空気Ａ２の成分は、吸気孔９７０ａに近づく方向に排出してしまうためと考えられる。一旦、排出した高温の空気を十分に冷やされる前に、再度、筐体９７０内に吸入すると、放熱効果が充分でなくなり、熱が筐体９７０内に篭り易くなる。
【０００５】
そこで、本発明は、従来よりも良好な放熱特性を有する照明装置の提供を目的とする。
【課題を解決するための手段】
【０００６】
上記課題を解決するため、本発明の一態様に係る照明装置は、一部が開口した筐体の前記開口を閉塞する状態で熱伝導性の基台が設けられ、前記基台の２つの主面のうち、前記筐体内方を向いていない第１主面には発光モジュールが載置され、前記筐体内部にはファンが設けられ、前記筐体の壁には吸気孔が設けられていると共に、前記吸気孔から吸入した空気で前記基台を冷却するようにした照明装置であって、前記ファンは、前記基台の前記筐体内方を向いている第２主面に向けて空気を送るように設けられており、前記基台は、前記筐体内の空気を前記筐体外に排出する排気孔を有し、前記排気孔は、前記基台の前記発光モジュールの外周に設けられ、且つ、前記第２主面側から前記第１主面側に貫通しており、前記排気孔の出口は、前記第１主面側にある構成とする。
【０００７】
また、本発明の別の態様では、前記基台は、前記第２主面上に立設された複数の板状のフィンを有しており、前記複数の板状のフィンは、平面視で放射状に形成されていて、前記各板状のフィンは、中心側から外側に向けて、漸次湾曲しているカール部を有する構成とすることもできる。
また、本発明の別の態様では、前記ファンの回転軸は、前記基台の前記第２主面の法線であって、前記放射状のフィンの中心を通る線上に存在し、前記ファンの回転方向と、前記各板状のフィンが漸次湾曲しているカールの変位の方向と、が同一である構成とすることもできる。
【０００８】
また、本発明の別の態様では、さらに、前記筐体と前記基台とで囲まれる空間を、前記吸気孔が存在する第１の部屋と、前記基台が存在する第２の部屋とに仕切る板状部材を有し、前記板状部材には、２つの部屋を連通する連通部が形成され、前記ファンは、前記連通部に設けられている構成とすることもできる。
また、本発明の別の態様では、前記基台の前記排気孔は、前記基台の第１主面の法線方向に対して傾斜している部分を少なくとも有する構成とすることもできる。
【０００９】
また、本発明の別の態様では、さらに、前記発光モジュールを点灯させる点灯回路ユニットを備え、前記点灯回路ユニットは、前記筐体の内側であって、前記ファンの前記基台と反対側に設けられており、前記筐体の壁に設けられた前記吸気孔は、前記点灯回路ユニット側よりも前記ファン側に近く設けられている構成とすることもできる。
【発明の効果】
【００１０】
本発明の一態様に係る照明装置では、排気孔が、第２主面側から第１主面側に貫通しており、且つ、排気孔の出口は、第１主面側にある。よって、排気孔の貫通方向に沿って排出した空気は、吸気孔から離れる方向に排出される。この場合でも、排気孔の貫通方向に沿って排出した空気だけでなく、排気孔の貫通方向に対して基台の外方に傾斜した方向の空気の成分も存在する。しかし、排気孔の貫通方向に対して基台の外方に傾斜した方向の空気の成分は、従来技術の空気Ａ２の成分と比較して、吸気孔から離れる方向であることには変わりがなく、吸気孔からは筐体内に再度、吸入されにくくなる。
【００１１】
従って、本発明の一態様に係る照明装置によれば、従来よりも良好な放熱特性を有する照明装置を提供することができる。
【図面の簡単な説明】
【００１２】
【図１】実施の形態１に係る照明装置１の斜視図である。
【図２】実施の形態１に係る照明装置１の分解斜視図である。
【図３】（ａ）は、実施の形態１に係る照明装置１の基台３０を第１主面３１側からみたときの平面図であり、（ｂ）は、実施の形態１に係る照明装置１の基台３０を第２主面３２側からみたときの平面図である。
【図４】実施の形態１に係る照明装置１の基台３０とファン５０との関係を示す斜視図である。
【図５】実施の形態１に係る照明装置１の断面図である。
【図６】実施の形態２に係る照明装置１０１の斜視図である。
【図７】実施の形態２に係る照明装置１０１の断面図である。
【図８】変形例１に係る照明装置の排気孔を示す断面図である。
【図９】変形例２に係る照明装置の排気孔を示す断面図である。
【図１０】変形例３に係る照明装置の排気孔を示す断面図である。
【図１１】従来技術に係る照明装置９０１の側面図である。
【発明を実施するための形態】
【００１３】
本発明を実施するための形態を、図面を参照して詳細に説明する。
＜実施の形態１＞
図１は、照明装置１の斜視図であり、図２は、照明装置１の分解斜視図である。図２に示すように、照明装置１は、発光モジュール１０と、透光性カバー２０と、基台３０と、板状部材４０と、ファン５０と、点灯回路ユニット６０と、筐体７０とを備える。尚、以下の説明において、Ｊ軸は照明装置１の中心軸であって、Ｚ軸と平行であり、且つ、基台３０の第１主面３１、及び、第２主面３２の法線と平行であるとする。
【００１４】
次に、まず、照明装置１の各部材を構成要素毎に説明する。
［発光モジュール１０］
発光モジュール１０は、照明装置１の光源である半導体発光素子１１と、半導体発光素子１１が実装された基板１２とを有する。
図１に示すように、半導体発光素子１１は、Ｊ軸から等距離で、且つ、互いの距離も等間隔に４個配置されている。半導体発光素子１１は、基板１２の上面にＳＭＤ（Ｓｕｒｆａｃｅ  Ｍｏｕｎｔ  Ｄｅｖｉｃｅ）技術を用いて、フェースアップ実装されている。各半導体発光素子１１には、例えば、ＧａＮ系の青色発光するＬＥＤが用いられる。ＬＥＤは、封止部材（不図示）で覆われている。封止部材には、波長変換材料が混入された透光性材料が用いられている。透光性材料としては、例えばシリコーン樹脂を利用することができる。また、波長変換材料は、ＬＥＤから出射された青色光を黄色光に変換するためのものであり、例えば蛍光体粒子を利用することができる。
【００１５】
基板１２は、中央に穴の開いた中空円盤形状をしている。基板１２には、半導体発光素子１１を駆動するための配線が設けられている（不図示）。基板１２の半導体発光素子１１と反対側には、後に説明する点灯回路ユニットからの配線と電気的に接続するためのコネクタ１３が設けられている（図２参照）。基板１２としては、例えば、樹脂基板、セラミック基板、樹脂板と金属板とからなる金属ベース基板等の既存の実装基板を利用することができる。
【００１６】
尚、基板１２は、必ずしも中空円盤形状でなくともよい。例えば、中空のない円盤状でもよい。そして、その円盤の中心付近に半導体発光素子１１を設けてもよい。
［透光性カバー２０］
透光性カバー２０は、発光モジュール１０を覆うように設けられている。透光性カバー２０の材料としては、透光性を有する樹脂材料やガラス等である。透光性カバー２０の内面には、半導体発光素子１１から発せられた光を拡散させるための拡散処理が施されていてもよい。拡散処理としては、例えば、シリカや白色顔料等による拡散処理や、シリカ、無定形シリカ、炭酸カルシウム、硫酸バリウム、水酸化アルミニウム、酸化チタン等をエマルジョン型粘着剤に混合させたものを塗布する方法等がある。半導体発光素子１１から出射された光は、透光性カバー２０の内面に入射し、透光性カバー２０を透過して、外部へと取り出される。透光性カバー２０は、レンズ機能を有していてもよい。
［基台３０］
図１に示すように、基台３０は、上方に円周状に突出した内側リブ３５を有している。内側リブ３５に透光性カバー２０が内嵌されている。内側リブ３５の外側には、外方に突出する鍔状部３４が形成されている。内側リブ３５と鍔状部３４との間には、筐体７０内の空気を排出する排出孔３３が設けられている。
【００１７】
図３を用いて、基台３０をさらに詳しく説明する。図３（ａ）は、基台３０のみを取り出したときに、第１主面３１側から見たときの平面図である。第１主面３１は、発光モジュール１０が載置される面である。図３（ｂ）は、逆に第１主面の反対側である第２主面３２側から見たときの平面図である。図３（ａ）に示すように、内側リブ３５と鍔状部３４との間には、排気孔３３が計４個、内側リブ３５の外周に沿って、設けられている。排気孔３３は、第２主面３２側から第１主面３１側に貫通している。排気孔３３同士の間には、ブリッジ部３６がある。これにより、鍔状部３４と内側リブ３５とが固定されている。鍔状部３４の第２主面３２側には、排気孔３３に沿って、外側リブ３７が設けられている（図３（ｂ）参照）。尚、矩形状の孔３０ｃは、基板１２のコネクタ１３（図２参照）が挿入される部分である。また、図３（ｂ）に示すように、第２主面３２上には、複数のフィン３０ａが、平面視で放射状に設けられている。フィン３０ａは板状であり、第２主面３２に対して立設されている（図２参照）。そして、フィン３０ａは、排気孔３３付近において、平面視で放射状の中心側から外側に向かう方向に対して、漸次湾曲しているカール部３０ｂを有している。放射状の中心側から外側に向かう方向に対して、漸次湾曲しているカールの変位の方向（以下、カールの方向と称す）ＣＬは、本実施の形態１では、第２主面３２側から見たときに反時計回りである（図３（ｂ）拡大図参照）。
【００１８】
基台３０の材料としては、熱伝導性を有する材料であれば特に限定されるものではないが、軽量化を考慮すると、例えば、アルミニウムが好適である。その他、銅、高熱伝導樹脂等であってもよい。熱伝導性を有していれば、必ずしも金属でなくともよい。
［板状部材４０］
板状部材４０は、ドーナツ形状であり、基台３０の外側リブ３７とファン５０のフレーム部５２との間に設けられる（図２参照）。板状部材４０の内側の穴４１の直径は、ファン５０のフレーム部５２の直径とほぼ同じである。板状部材の材料としては、例えば、ポリカーボネート（ＰＣ）である。
［ファン５０］
ファン５０は、複数の羽５１と、フレーム部５２と、モーター（不図示）等が収納された回転部５３とを有する（図２参照）。羽５１の傾斜方向とファン５０の回転方向によって、空気の流れが規定される。ファン５０の回転軸は、基台３０の第２主面３２の法線であって、フィン３０ａの放射状の中心を通る線（Ｊ軸）に沿っている。ファン５０の回転方向Ｒｏｔは、口金６２側から見て反時計回りである。ファン５０は、プラスチック製である。羽５１は、複数であるとしたが、必ずしもそれに限られない。１つであってもよい。
［点灯回路ユニット６０］
点灯回路ユニット６０は、電子部品６１と、ピン状の一対の口金６２と、回路基板６３とを有する。点灯回路ユニット６０は、半導体発光素子１１が実装された基板１２と電気的に接続され、外部からのＡＣ電圧をＤＣ電圧に変換し、発光モジュール１０を点灯させるものであり、且つ、ファン５０のモーターを動作させるものである。点灯回路ユニット６０から、基板１２や、ファン５０の回転部５３への配線の図示は省略した。
［筐体７０］
筐体７０は、点灯回路ユニット６０の電子部品６１の一部が収納されるベース部７０ａと、略椀状の側面部７０ｂと、外部の空気を吸入する吸気孔７０ｃと、開口７０ｄとを有する。ベース部７０ａの底部には、一対の孔７１が設けられていて、点灯回路ユニット６０の一対の口金６２が挿通される。略椀状の側面部７０ｂの内側には、点灯回路ユニット６０の回路基板６３と、電子部品６１の残りと、ファン５０と、板状部材４０とが収納される。そして、発光モジュール１０と透光性カバー２０とが基台３０に載置された上で、基台３０の外側リブ３７の下端と、筐体７０の開口７０ｄの外縁７０ｅとが接合され、開口７０ｄが基台３０で覆われる。
【００１９】
尚、筐体７０の材料としては、樹脂、セラミックス等を用いることができる。
以下、本実施の形態１の照明装置１を詳細に説明する。
（１）基台３０のフィン３０ａとファン５０との関係
図４は、口金６２側から斜めに見たときに、基台３０とファン５０とを取り出した状態を示す図である。フィン３０ａは、先に述べたように、カール部を有し、カールの方向ＣＬは、反時計回りである。このようにフィン３０ａがカールしていることで、単にフィンが放射状に形成された場合と比べてフィンの距離を長くすることができ、距離を長くした分、放熱効果が高まる。
【００２０】
また、ファン５０の回転方向Ｒｏｔは、フィン３０ａのカール方向ＣＬと同一である反時計回りである。これにより、ファン５０の下側にある空気は、ファン５０の回転によって、基台３０の方向へ流れる。そして、基台３０に当たった空気は、フィン３０ａに沿って、基台の外方に流れる。この際、ファン３０の回転方向Ｒｏｔと、フィン３０ａのカールの方向ＣＬとが同一であるので、流れる空気が受ける空気抵抗を少なくすることができる。より詳しく説明する。ファン５０から流出する気流は、基台３０に向かって直線的な気流ではなく、反時計回りにツイストした気流Ｆｌｏｗとなる。そして、それを受ける基台３０のフィン３０ａも同じく反時計回りにツイストしたカール部を有している。つまり、気流Ｆｌｏｗが通過するフィン３０ａ同士の間の流路も、ファン５０から流出する気流Ｆｌｏｗの方向に曲がっている。その結果、気流Ｆｌｏｗが受ける空気抵抗がより小さくなり、気流Ｆｌｏｗのスピードがあまり減速することなくフィン３０ａを通過するので、より効率よく熱交換が起きる。
（２）排気孔３３の方向について
図５に、照明装置１の断面図を示す。図５は、図１のＨ１−Ｈ２線をＪ軸に平行に沿って切ったときの照明装置１の断面図である。
【００２１】
まず、筐体７０の壁に設けられた吸気孔７０ｃから吸入した空気Ｂは、ファン５０のフレーム部５２と筐体７０の内面との隙間を通って、一旦、点灯回路ユニット６０側に向かう。その後、ファン５０の回転によって、基台３０の方向へ向かう。ここで、指向性のある気流が生じる。ファン５０で基台３０の方向に流れた空気は、今度は、基台３０に当たった後、基台３０のフィン３０ａに沿って内方から外方へと広がる。その後、基台３０の外側リブ３７に当たり、今度は、Ｚ軸方向に流れる。最終的に、基台３０の排気孔３３からＺ軸方向に向かって、外部へ排出する。Ｚ軸方向に排出するのは、排気孔３３が、Ｊ軸に沿って、基台３０の第２主面３２側から第１主面３１側に向かって貫通していて、排気孔３３の出口が第１主面３１側にあるからである。より厳密には、Ｚ軸方向に空気が排出するというよりも、サイクロン的にＪ軸周りの回転方向の成分も持って、３次元的に排出すると推定されるが、ここでは、簡単のため、Ｚ軸方向に排出する成分について論じる。
【００２２】
照明装置１から排出し、熱を帯びた空気には、Ｚ軸方向に排出した空気Ａ１の他に、Ｚ軸軸に対して傾斜した方向の空気Ａ２の成分も存在する。しかしながら、本実施の形態１の照明装置１では、空気Ａ２の成分は、従来技術と異なり、吸気孔７０ｃから離れる方向に排出している。従って、空気Ａ２の成分は、吸気孔から筐体内に再度、吸入しにくくなる。これにより、従来よりも良好な放熱特性が得られることになる。
（３）排気孔３３の位置について
基台３０の排気孔３３は、内側リブ３５の外側、即ち、発光モジュール１０の外周に設けられている（図１参照）。これにより、半導体発光素子の配光特性に影響することなく、放熱効果を得ることができる。
（４）板状部材４０について
板状部材４０は、筐体７０の内側に設けられ、吸気孔７０ｃが存在する第１の部屋Ｒ１と、基台３０のフィン３０ａが存在する第２の部屋Ｒ２とを仕切っている（図５参照）。また、板状部材４０の内側の穴４１は、第１の部屋Ｒ１と第２の部屋Ｒ２とを連通する連通部４１である。この連通部４１にファン５０が内嵌されている。これにより、吸気孔７０ｃから吸入したばかりの空気と、ファン５０によってフィン３０ａに送られて、放熱された空気とが混ざらないようにすることができる。
（５）吸気孔７０ｃの位置について
図５に示すように、筐体７０の吸気孔７０ｃは、点灯回路ユニット６０側よりもファン５０側に近く設けられている。これにより、次のような効果が得られる。吸気孔７０ｃからは、空気の他に、水分や埃等も筐体７０内に入ってくる。水分や埃等が、点灯回路ユニット６０の電子部品や回路基板に付着すると、縁面放電が生じて、点灯回路がショートしたり、破壊したりすることがある。また、人が、ドライバーや針のように先端が細く鋭いもので照明装置の修理作業や取り付け作業をしている時に、誤って、吸気孔７０ｃから筐体７０内にドライバーや針等を差し込んでしまうこともあり得る。この場合にも、点灯回路がショートしたり、破壊したりすることがある。照明装置１では、仮に、吸気孔７０ｃから水分や埃等が入ったとしても、ファン５０のフレーム部５２や板状部材４０に付着するだけで、点灯回路ユニット６０には付着しにくい。また、ドライバーや針等の先端が、吸気孔７０ｃから筐体７０内に入ってしまったとしても、フレーム部５２や板状部材４０に当たるだけで、点灯回路ユニット６０には接触しにくい。
（６）本発明の一態様
一部が開口した筐体７０の前記開口７０ｄを閉塞する状態で熱伝導性の基台３０が設けられる。前記基台３０の２つの主面のうち、前記筐体７０内方を向いていない第１主面３１には発光モジュール１０が載置される。前記筐体７０内部にはファン５０が設けられる。前記筐体７０の壁には吸気孔７０ｃが設けられていると共に、前記吸気孔７０ｃから吸入した空気で前記基台３０を冷却するようにした。前記ファン５０は、前記基台３０の前記筐体７０内方を向いている第２主面３２に向けて空気を送るように設けられている。前記基台３０は、前記筐体７０内の空気を前記筐体７０外に排出する排気孔３３を有する。前記排気孔３３は、前記基台３０の前記発光モジュール１０の外周に設けられ、且つ、前記第２主面３２側から前記第１主面３１側に貫通している。前記排気孔３３の出口は、前記第１主面３１側にある。
＜実施の形態２＞
以下、本発明の実施の形態２に係る照明装置１０１について、図面を用いて説明する。
尚、以下の説明では、実施の形態１と共通する部材、構成や効果については説明をおおよそ省略する。また、共通する部材には、同一の符号を付す。
【００２３】
図６は、照明装置１０１の斜視図である。図７は、図６のＨ１−Ｈ２線をＪ軸に平行に沿って切ったときの照明装置１０１の断面図である。実施の形態１の照明装置１との違いは、半導体発光素子１１が実装された基板１１２が、中空のない円盤形状である点である。基板１１２の外径は、基板１２の外径よりも小さい。これに合わせて、透光性カバー１２０の外径も、透光性カバー２０の外径よりも小さい。照明装置１０１のように、半導体発光素子１１同士を近づけて配置することで、光学設計の自由度が増し、より狭角な配光のスポット照明等が可能になる。
【００２４】
もう１つの違いは、基台１３０の内側リブ１３５の外方であって、鍔状部１３４との間に設けられた排気孔１３３がメッシュ状で、数多く配置されている点である（図６参照）。照明装置１と比べて、空冷ファンの吹き出し方向にそのまま風が抜ける構造となるため、気流のスピードは速くなるが、空気が基台１３０と接するトータル面積は減るので、実施の形態１と同程度の放熱効果が得られる。また、照明装置１０１では、基台１３０のフィン１３０ａはカール部を有していない。
【００２５】
図７に、照明装置１０１の断面において、空気の流れを説明する。基本的には、照明装置１と同様である。外部から吸入した空気Ｂは、ファン５０で基台１３０の方向に向けられた後、フィン１３０ａに沿って流れ、最終的に、基台１３０の複数並んだ排気孔１３３からＺ軸方向に向かって、基台の外部へ排出する。Ｚ軸方向に排出するのは、複数並んだ排気孔１３３が、Ｊ軸に沿って、基台１３０の第２主面１３２側から第１主面１３１側に向かって貫通していて、排気孔１３３の出口が第１主面１３１側にあるからである。Ｚ軸方向に排出した空気Ａ１の他に、Ｚ軸に対して傾斜した方向の空気Ａ２の成分も存在するが、吸気孔７０ｃからは離れる方向に排出している。放熱効果が得られる理由は、実施の形態１と同様である。
＜変形例１＞
以下の変形例では、実施の形態と排気孔の部分の形状のみが異なる例について説明する。排気孔以外の部分は、実施の形態１と同様とする。図８に、変形例１に係る排気孔２３３の部分の拡大図を示す。図５でいうと、一点鎖線で楕円状に囲まれたＥの部分の拡大図である。排気孔２３３の貫通方向が沿っている方向であるＶ軸は、Ｚ軸と平行である。但し、変形例１では、内側リブ２３５の下側の角部２３５ａが面取りされている。面取りされた方向は、第１主面２３１の法線方向に対して傾斜している。この場合も、排気孔２３３は、基台２３０の第２主面２３２側から第１主面２３１側に向かって貫通している。排気孔２３３の出口は、第１主面２３１側にある。変形例１の構成により、空気が排気孔２３３方向に向きを変える際に、角部２３５ａで受ける空気抵抗を小さくすることができる。
＜変形例２＞
図９に、変形例２に係る排気孔３３３の部分の拡大図を示す。変形例２では、内側リブ３３５の下側の角部３３５ａと、外側リブ３３７の上側の角部３３７ａの両方が面取りされている。面取りされた方向は、ともに基台３３０の第１主面３３１の法線方向に対して傾斜している。変形例２においても、排気孔３３３の貫通方向が沿っている方向であるＶ軸は、Ｚ軸と平行である。この場合も、排気孔３３３は、基台３３０の第２主面３３２側から第１主面３３１側に向かって貫通している。排気孔３３３の出口は、第１主面３３１側にある。これにより、空気が排気孔３３３方向に向きを変える際に、角部３３５ａで受ける空気抵抗だけでなく、角部３３７ａで受ける空気抵抗も小さくすることができる。この結果、排気孔３３３から流出した空気Ａ１は、若干、基台３３０の法線に対して傾斜した方向に向くが、排気流の勢いを増すことができる。
＜変形例３＞
図１０に、変形例３に係る排気孔４３３の部分の拡大図を示す。排気孔４３３の貫通方向が沿っている方向であるＶ軸は、Ｚ軸から角度θ分だけ傾斜している。即ち、排気孔４３３は、基台４３０の第１主面４３１の法線に対して、基台４３０の斜め外方に向けて形成されている。角度θの範囲としては、０°よりも大きく６０°以下であり、より好ましくは、４５°以下である。尚、角度θの範囲として、０°よりも大きく６０°以下であれば、少なくとも排気孔から排出された空気が高温のまま吸気孔からは吸入されにくい。変形例３では、内側リブ４３５の排気孔４３３側の側面全体４３５ａが斜めに面取りされている。また、外側リブ４３７の排気孔４３３側の側面全体４３７ａが斜めに面取りされている。この場合も、排気孔４３３は、基台４３０の第２主面４３２側から第１主面４３１側に向かって貫通している。排気孔４３３の出口は、第１主面４３１側にある。本変形例３の構成により、空気が排気孔４３３方向に向きを変える際に、排気孔４３３で受ける空気抵抗をより一層小さくすることができる。
【００２６】
尚、変形例３では、排気孔４３３の向きは、基台４３０の斜め外方に向けていたとしたが、斜め内方、即ち、発光モジュール側に向けてもよい。
＜その他の事項＞
（１）半導体発光素子は、ＳＭＤ技術を用いて実装されたものに限定されず、例えばＣＯＢ（Ｃｈｉｐ  ｏｎ  Ｂｏａｒｄ）型のものが基板に搭載されていてもよい。また、半導体発光素子は、ＬＥＤに限定されず、例えば、ＬＤ（レーザーダイオード）やＥＬ素子（エレクトロルミネッセンス素子）であってもよい。
（２）本明細書中では、ファンの送風方向は基台の第１主面の法線方向に向けられていたが、これに限定されるものではない。例えば、ファンの送風方向は基台の第１主面と平行方向であってもよい。そして、ダクトのようなもので、基台の第１主面の法線方向に方向転換をさせる構成であってもよい。また、ファンと基台とは密着していなくてもよい。
（３）本明細書中では、口金側から見て、基台のフィンのカール方向と、ファンの回転方向は、ともに反時計回りとしたが、ともに時計回りであってもよい。
（４）照明装置は、所謂、電球型のランプであってもよい。半導体発光素子は、扁平型の透光性カバーに覆われていなくともよく、ドーム型のグローブで覆われていてもよい。口金は、差し込みピン型のものでなくともよく、例えばＥ２６規格やＥ３９規格のエジソン型の口金でもよい。
（５）筐体は、ベース部上に略椀状のものが載置された形状に限らず、一方から他方へ向けて縮径している円筒状のものでもよい。また、筐体の一部のみが開口しているものでもよい。
（６）排気孔の個数には特に制限はない。１〜３個でもよいし、それ以上でもよい。同様に、吸気孔の個数についても特に制限はない。ただ、筐体７０は樹脂で形成されることが多いことから、本実施の形態に示したように、吸気孔同士の間には、強度を保つためにブリッジ部が形成されていることが好ましい。
（７）吸気孔のトータルの面積は、排気孔のトータル面積よりも大きくてもよい。吸気孔からは、周囲の雰囲気中の空気が自然に吸入してくるため、気流のスピードは遅いか、または、気流は生じていない。これに対して、排気孔から排出する空気は、ファンやフィンを通過しているため、気流のスピードは速い。従って、排気孔のトータル面積を吸気孔のトータル面積よりも大きくしても、特にメリットがない。
（８）本実施の形態及びその変形例では、基台にフィンを設けた構成としたが、必ずしもこれに限定されるものではない。空気が流れる流路が確保されていれば、フィンはなくともよい。
（９）本発明に係る照明装置は、実施の形態及びその変形例の部分的な構成を、適宜組み合わせてなる構成であってもよい。また、実施の形態及びその変形例に記載した材料、数値等は好ましいものを例示しているだけであり、それに限定されることはない。さらに、本発明の技術的思想の範囲を逸脱しない範囲で、構成に適宜変更を加えることは可能である。本発明は、照明装置全般に広く利用可能である。
【符号の説明】
【００２７】
１、１０１．          照明装置
１０、１１０．        発光モジュール
２０、１２０．        透光性カバー
３０、１３０、２３０、３３０、４３０．                基台
３０ａ、１３０ａ．    フィン
３０ｂ．              カール部
３１、１３１、２３１、３３１、４３１．                第１主面
３２、１３２、２３２、３３２、４３２．                第２主面
３３、１３３、２３３、３３３、４３３．                排気孔
４０．                板状部材
４１．                連通部
５０．                ファン
５１．                羽
６０．                点灯回路ユニット
７０．                筐体
７０ｃ．              吸気孔
７０ｄ．              開口
Ｊ．                  回転軸
Ｒ１．                第１の部屋
Ｒ２．                第２の部屋
【図１】
2015088257.tif 000003
【図２】
2015088257.tif 000004
【図３】
2015088257.tif 000005
【図４】
2015088257.tif 000006
【図５】
2015088257.tif 000007
【図６】
2015088257.tif 000008
【図７】
2015088257.tif 000009
【図８】
2015088257.tif 000010
【図９】
2015088257.tif 000011
【図１０】
2015088257.tif 000012
【図１１】
2015088257.tif 000013